(57)【特許請求の範囲】
【請求項１】
依頼者からの撮像の依頼に基づいて撮像された依頼画像データを含む複数の画像データを受信する受信部と、
前記複数の画像データの中から、前記依頼画像データを特定する制御部と、
前記依頼画像データと、前記複数の画像データのうち前記依頼画像データとは異なる画像データと、前記依頼画像データを示す情報と、を送信する送信部と、
を備える電子機器。
【請求項２】
請求項１に記載の電子機器において、
前記制御部は、前記依頼画像データを前記依頼者毎に又は前記撮像の依頼毎に特定する電子機器。
【請求項３】
請求項１または２に記載の電子機器において、
前記受信部は、前記撮像の依頼を受信する電子機器。
【請求項４】
請求項１乃至３の何れか一項に記載の電子機器において、
前記制御部は、前記撮像の依頼の情報に基づいて、前記依頼画像データを特定する電子機器。
【請求項５】
請求項４に記載の電子機器において、
前記制御部は、前記撮像の依頼の情報と前記画像データに関する情報とに基づいて、前記依頼画像データを特定する電子機器。
【請求項６】
請求項１乃至５の何れか一項に記載の電子機器において、
前記制御部は、位置に関する位置情報と、日時に関する日時情報と、被写体に関する被写体情報との少なくとも１つ以上に基づいて、前記依頼画像データを特定する電子機器。
【請求項７】
請求項４または５に記載の電子機器において、
前記撮像の依頼の情報は、前記依頼者が依頼した撮像位置を示す依頼位置情報と、前記依頼者が依頼した撮像日時を示す依頼日時情報と、前記依頼者が依頼した被写体を示す依頼被写体情報との少なくとも１つ以上を含み、
前記制御部は、前記依頼位置情報と前記依頼日時情報と前記依頼被写体情報との少なくとも１つ以上に基づいて前記依頼画像データを特定する電子機器。
【請求項８】
請求項７に記載の電子機器において、
前記制御部は、前記画像データが撮像された位置を示す撮像位置情報と、前記画像データが撮像された日時を示す撮像日時情報と、前記画像データに撮像された被写体に関する撮像被写体情報との少なくとも１つ以上に基づいて、前記依頼画像データを特定する電子機器。
【請求項９】
請求項８に記載の電子機器において、
前記制御部は、前記依頼位置情報及び前記撮像位置情報と、前記依頼日時情報及び前記撮像日時情報と、前記依頼被写体情報及び前記撮像被写体情報との少なくとも１つ以上に基づいて、前記依頼画像データを特定する電子機器。
【請求項１０】
請求項６乃至９の何れか一項に記載の電子機器において、
前記制御部は、前記被写体の顔情報に基づいて、前記依頼画像データを特定する電子機器。
【請求項１１】
請求項８または９に記載の電子機器において、
前記制御部は、前記依頼被写体情報の被写体の顔情報と、前記撮像被写体情報の被写体の顔情報とに基づいて、前記依頼画像データを特定する電子機器。
【請求項１２】
請求項１乃至１１の何れか一項に記載の電子機器において、
前記制御部は、操作者によって指定された画像データを、前記依頼画像データとして特定する電子機器。
【請求項１３】
請求項１乃至１２の何れか一項に記載の電子機器において、
前記制御部は、前記依頼画像データを示す情報と、前記依頼画像データとを関連付ける電子機器。
【請求項１４】
請求項１３に記載の電子機器において、
前記依頼画像データを示す情報は、他の電子機器の表示部が前記依頼画像データを含む画像データを表示するときに前記依頼画像データを識別可能に表示するために用いられる情報である電子機器。
【請求項１５】
請求項１４に記載の電子機器において、
前記依頼画像データを示す情報は、前記依頼画像データを強調して前記表示部に表示するために用いられる情報である電子機器。
【請求項１６】
請求項１３乃至１５の何れか一項に記載の電子機器において、
前記依頼画像データを示す情報は、前記依頼画像データの表示態様を、前記依頼画像データ以外の画像データの表示態様と異ならせるために用いられる情報である電子機器。
【請求項１７】
請求項１３乃至１６の何れか一項に記載の電子機器において、
前記依頼画像データを示す情報は、前記依頼画像データを表示する位置を決めるために用いられる情報である電子機器。
【請求項１８】
請求項１３乃至１７の何れか一項に記載の電子機器において、
前記依頼画像データを示す情報は、前記依頼画像データを示す情報と、前記依頼画像データとを表示するために用いられる情報である電子機器。
【請求項１９】
請求項６乃至１８の何れか一項に記載の電子機器において、
前記制御部は、前記依頼画像データの他に、所定の情報に基づいて画像データを特定し、
前記送信部は、前記依頼画像データと、前記所定の情報に基づいて特定された画像データと、を他の電子機器に送信する電子機器。
【請求項２０】
請求項６に記載の電子機器において、
前記制御部は、前記依頼画像データの他に、所定の情報に基づいて画像データを特定し、
前記送信部は、前記依頼画像データと、前記所定の情報に基づいて特定された画像データと、を他の電子機器に送信し、
前記所定の情報は、前記位置情報と前記日時情報と前記被写体情報と前記依頼者に関する情報との何れか１つ以上を含む電子機器。
【請求項２１】
依頼者からの撮像の依頼に基づいて撮像された依頼画像データを含む複数の画像データを受信する受信処理と、
前記複数の画像データの中から、前記依頼画像データを特定する特定処理と、
前記依頼画像データと、前記複数の画像データのうち前記依頼画像データとは異なる画像データと、前記依頼画像データを示す情報と、を送信する送信処理と、
をコンピュータに実行させるプログラム。
【発明の詳細な説明】
【技術分野】
【０００１】
本発明は、電子機器およびプログラムに関する。
【背景技術】
【０００２】
従来から、通信装置を介して受信した依頼者からの撮影の依頼に従って撮影者によって撮影された画像を、通信装置を介して依頼者に証拠画像として送信する技術が知られている（例えば、特許文献１）。
しかしながら、撮影者により複数の画像が撮影されている場合に、複数の画像の中から依頼者が撮影の依頼をした画像を特定することができないという問題がある。
【先行技術文献】
【特許文献】
【０００３】
【特許文献１】特開２００８−５３７２２８号公報
【発明の概要】
【０００４】
第１の態様によれば、電子機器は、依頼者からの撮像の依頼に基づいて撮像された依頼画像データを含む複数の画像データを受信する受信部と、複数の画像データの中から、依頼画像データを特定する制御部と、依頼画像データと、複数の画像データのうち依頼画像データとは異なる画像データと、依頼画像データを示す情報と、を送信する送信部と、を備える。
第２の態様によれば、プログラムは、依頼者からの撮像の依頼に基づいて撮像された依頼画像データを含む複数の画像データを受信する受信処理と、複数の画像データの中から、依頼画像データを特定する特定処理と、依頼画像データと、複数の画像データのうち依頼画像データとは異なる画像データと、依頼画像データを示す情報と、を送信する送信処理と、をコンピュータに実行させる。
【図面の簡単な説明】
【０００５】
【図１】一実施の形態による撮像サービスの概要を説明する図である。
【図２】一実施の形態による撮像サービスを提供するシステムの構成ブロック図である。
【図３】一実施の形態による撮像システムの動作を説明するフローチャートである。
【図４】依頼者が撮像の依頼を行う際の依頼の例を示す図である。
【図５】依頼画像の特定を説明する図である。
【図６】依頼画像の特定および識別情報の関連付けの動作を説明するフローチャートである。
【図７】依頼者の電子機器の表示部に表示される画像の態様を例示する図である。
【図８】依頼者の電子機器の表示部に表示される画像の態様を例示する図である。
【発明を実施するための形態】
【０００６】
以下、図面を参照しながら一実施の形態について説明する。
本実施の形態では、各種スポーツの試合や競技会、演奏会、発表会等の各種のイベントに、プロやアマチュアのカメラマンが出向いてイベントの様子を撮像し、撮像された画像データをネットワークを介して販売する撮像サービスを一例に挙げて説明を行う。本撮像サービスでは、イベントの参加予定者またはイベントの画像データを所望する人物は、イベント中の所望の画像データを撮像するようにカメラマンへ依頼をすることができる。イベントへ出向いたカメラマンは、通常は、イベントの様子や参加者を様々な角度から撮像する。この場合には、カメラマンは何らの制限を受けることなく、任意の被写体を任意のタイミングで撮像することができる。撮像の依頼があった場合は、カメラマンはその撮像の依頼の要件を満たす場面や被写体を撮像する。撮像の依頼の要件を満たす場面や被写体の撮像が完了したら、通常の撮像に戻り、イベントの様子や参加者を様々な角度から撮像する。本撮像サービスでは、カメラマンが撮像の依頼に基づいて撮像した画像データも撮像の依頼に基づかずに撮像した画像データもネットワークを介して販売される。以下の説明では、カメラマンを撮像者、撮像者への撮像の依頼を行った人物を依頼者、依頼者からの依頼に従って撮像者により撮像された画像データを依頼画像データと記載する。なお、撮像者によって撮像される画像データは、静止画であっても良いし、動画であっても良い。また、画像データには音声の情報が含まれても良い。
【０００７】
図１は、実施の形態による撮像サービス１の概要を説明する図である。撮像サービス１においては、依頼者２と撮像者４との間にサービス事業者３が介在する。なお、サービス事業者３の介在なく、撮像者４がサービス事業も行っても良い。サービス事業者３は、依頼者２と撮像者４との間で情報を仲介する。なお、サービス事業者３は複数の撮像者４と複数の依頼者２との間で情報を仲介できるが、図１においては、代表的に、１人の撮像者４と１人の依頼者２との間で情報を仲介する例を示している。
【０００８】
図２は、図１の撮像サービス１を提供する撮像システム１０の全体構成図である。撮像システム１０は、依頼者２の電子機器２０と、サービス事業者３の電子機器３０と、撮像者４の電子機器４０とを備える。依頼者２の電子機器２０と、撮像者４の電子機器４０とは、通信回線網５を介してサービス事業者３の電子機器３０と接続される。通信回路網５は、たとえばインターネット回線や携帯または固定電話回線などの通信回線である。なお、複数の依頼者２の電子機器２０が通信回路網５に接続することができるが、図２においても、代表的に１人の依頼者２の電子機器２０が通信回路網５に接続した場合を示している。なお、撮像システム１０に、依頼者２の電子機器２０と、サービス事業者３の電子機器３０と、撮像者４の電子機器４０とを備える例を説明するが、それに限られない。例えば、依頼者２の電子機器２０は撮像システム１０に備えなくてもよい。
【０００９】
依頼者２の電子機器２０は、たとえば、通信回路網５に接続し各種情報の送受信が可能なコンピュータ、テレビ、スマートフォンやタブレット等の携帯情報端末などである。撮像者４の電子機器４０は、通信機能を備えるデジタルカメラなどである。なお、依頼者２の電子機器２０も通信機能を備えるデジタルカメラであっても良い。また、撮像者４のデジタルカメラが通信機能を備えていない場合には、電子機器４０として通信回路網５に接続し各種情報の送受信が可能なコンピュータ、スマートフォンやタブレット等の携帯情報端末を用いることができる。撮像者４のデジタルカメラが通信機能を備えていない場合は、電子機器２０や電子機器３０との通信ができない。そのような場合は、通信機能を備えるコンピュータ、スマートフォン、タブレット等の携帯情報端末を電子機器４０として使用して、電子機器２０や電子機器３０と通信を行い各種情報の送受信を行う。撮像者４は、電子機器４０で各種情報の送受信を行い、デジタルカメラで撮像をする。デジタルカメラで撮像した画像データを、例えばＳＤカード等の記憶媒体を介して電子機器４０に移して電子機器２０や電子機器３０に送信するようにしてもよい。サービス事業者３の電子機器３０は、通信回路網５に接続されてサーバーとして機能する。
【００１０】
＜依頼者２の電子機器２０＞
電子機器２０は、制御部２１と、入力部２２と、表示部２３と、通信部２４とを備える。なお、制御部２１と入力部２２と表示部２３と通信部２４と全てを備える必要はなく、任意の組み合わせでよい。制御部２１は、例えば、マイクロプロセッサ、各種周辺回路、ＲＡＭ、ＲＯＭなどの任意の組み合わせである。制御部２１は、電子機器２０の各種処理を実行するために電子機器２０の各部位の動作を制御する。入力部２２は、例えば、スイッチなどの各種操作部材や、音声入力用のマイク、タッチパネル、キーボード等があげられる。依頼者２は、入力部２２を介して種々の入力をすることができる。表示部２３は、たとえば液晶式ディスプレイなどである。表示部２３は、制御部２１の制御にしたがって表示面上に通信回路網５を介して受信した画像や、入力画面などを表示する。通信部２４は、制御部２１の制御にしたがって、通信回路網５と接続する。通信部２４は、受信部２４ａと送信部２４ｂとを機能として有する。通信部２４は、受信部２４ａを制御して、所定のプロトコルにしたがって通信回路網５を介して接続したサービス事業者３の電子機器３０から各種情報を受信させる。通信部２４は、送信部２４ｂを制御して、所定のプロトコルにしたがって通信回路網５を介して接続したサービス事業者３の電子機器３０へ各種情報を送信させる。
【００１１】
＜撮像者４の電子機器４０＞
電子機器４０は、制御部４１と、入力部４２と、表示部４３と、通信部４４と、位置情報受信部４５と、撮像部４６と、記憶部４７とを備える。なお、制御部４１と入力部４２と表示部４３と通信部４４と位置情報受信部４５と撮像部４６と記憶部４７と全てを備える必要はなく、任意の組み合わせでよい。制御部４１は、例えば、マイクロプロセッサ、各種周辺回路、ＲＡＭ、ＲＯＭなどの任意の組み合わせである。制御部４１は、電子機器４０の各種処理を実行するために電子機器４０の各部位の動作を制御する。入力部４２は、例えば、スイッチなどの各種操作部材や、音声入力用のマイク、タッチパネルがあげられる。撮像者４は、入力部４２を介して種々の入力をすることができる。表示部４３は、たとえば液晶式ディスプレイなどである。表示部４３は、制御部４１の制御にしたがって、撮像部４６により撮像され生成された画像データや、入力画面や、メニュー画面などを表示する。通信部４４は、制御部４１の制御にしたがって通信回路網５と接続する。通信部４４は、受信部４４ａと送信部４４ｂとを機能として有する。例えば、通信部４４は、受信部４４ａを制御して、所定のプロトコルにしたがって、通信回路網５を介して接続したサービス事業者３の電子機器３０からの各種情報を受信させる。なお、通信部４４は、電子機器３０からの各種情報に限らず、各種機器から各種情報を受信させることができる。通信部４４は、送信部４４ａを制御して、所定のプロトコルにしたがって、通信回路網５を介して接続したサービス事業者３の電子機器３０へ各種情報を送信させる。なお、通信部４４は、電子機器３０に限らず、各種機器へ各種情報を送信させることができる。
【００１２】
位置情報受信部４５は、例えば、複数のＧＰＳ衛星からのＧＰＳ信号を受信して、受信したＧＰＳ信号を制御部４１に出力する。なお、ＧＰＳ信号に限らず、位置が特定できればよい。例えば、記憶部４７に地図データが記憶されており、撮像部４６が撮像した風景と地図データとを比較することによって、位置を特定し、制御部４１へ位置情報を出力してもよい。制御部４１は、入力したＧＰＳ信号（位置情報）を用いて、撮像者４の電子機器４０の位置、すなわち撮像者４が撮像を行う位置（たとえば緯度、経度）の位置情報（緯度、経度）を算出する。撮像部４６は、撮像光学系や、ＣＣＤやＣＭＯＳなどの撮像素子や、画像処理部などの任意の組み合わせである。撮像部４６は、制御部４１の制御にしたがって被写体の撮像を行い、画像データを生成する。記憶部４７は、例えば、ハードディスクやフラッシュメモリなどの記憶媒体があげられる。記憶部４７は、例えば、撮像部４６により生成された画像データや、依頼者２からの撮像の依頼に関する情報を記憶する。その他各種データや各種情報を記憶してもよい。
【００１３】
＜サーバー事業者３の電子機器３０＞
電子機器３０は、制御部３１と、記憶部３２と、通信部３３とを備える。なお、制御部３１と記憶部３２と通信部３３と全てを備える必要はなく、任意の組み合わせでよい。制御部３１は、例えば、マイクロプロセッサ、各種周辺機器、ＲＡＭ、ＲＯＭなどの任意の組み合わせである。制御部３１は、電子機器３０の各処理を実行するために、記憶部３２や通信部３３などを制御する。記憶部３２は、例えばハードディスクやフラッシュメモリなどの記憶媒体があげられる。記憶部３２は、依頼者２の電子機器２０から受信した撮像の依頼の情報、撮像者４の電子機器４０から受信した撮像者４により撮像された画像データなどを記憶する。なお、その他各種情報や各種データを記憶してもよい。通信部３３は受信部３３ａと送信部３３ｂとを機能として有する。通信部３３は、受信部３３ａを制御して、所定のプロトコルにしたがって、通信回路網５を介して接続した依頼者２の電子機器２０および撮像者４の電子機器４０からの各種情報を受信させる。なお、通信部３３は、電子機器４０からの各種情報に限らず、各種機器から各種情報を受信させてもよい。通信部３３は、送信部３３ｂを制御して、所定のプロトコルにしたがって、通信回路網５を介して接続した依頼者２の電子機器２０および撮像者４の電子機器４０へ各種情報を送信させる。なお、通信部３３は、電子機器２０や電子機器４０に限らず、各種機器に各種情報を送信させてもよい。
【００１４】
次に、図３の撮像システム１０の動作を示すフローチャートを参照して、依頼者２が画像データの撮像を依頼し、購入する際の撮像システム１０の動作ステップについて説明する。依頼者２が画像データの撮像を依頼し、購入する際の撮像システム１０の動作ステップとしては、以下のステップがある。
Ｓ１：イベントの告知をする。
Ｓ２：依頼者２から撮像の依頼を受け付ける。
Ｓ３：依頼者２からの撮像の依頼を、撮像者４へ伝える。
Ｓ４：撮像者４が撮像した画像データを取得する。
Ｓ５：取得した複数の画像データの中から依頼画像データを特定する。
Ｓ６：依頼者２から画像データの閲覧の要求があった場合、依頼画像データを含む複数の画像データを依頼者２の電子機器２０へ送信する。
Ｓ７：依頼者２からの画像データ購入の依頼を受け付ける。
Ｓ８：購入の依頼があった画像データを、依頼者２の電子機器２０へ送付する。
【００１５】
ステップＳ１では、撮像システム１０は、イベントの告知をする。サービス事業者３が指定したイベント（撮像者４を派遣するイベント）を事前に告知するために、ネットワークを介してチラシ等を配信する。たとえば、サービス事業者３は、撮像システム１０を用いて、ホームページ上にイベントに関する情報を掲載したり、既に本撮像サービス１を利用したことがある人物に宛てて電子メールを送付して、イベントの告知を行う。この場合、撮像サービス１を利用する際に登録された情報（氏名、住所、メールアドレスなど）に基づいて、サービス事業者３は告知のための電子メールを送付すれば良い。なお、ステップ１は必ずしも行われる必要はなく、飛ばしてもよい。ステップＳ２では、撮像システム１０は、依頼者２からの撮像の依頼を受け付ける。つまり、依頼者２が、電子機器２０を介して送付した撮像の依頼を受け付ける。例えば、イベントへの参加予定者やその家族、イベントでの画像データを所望する人が、依頼者２として、自分が所望する撮像の内容を依頼者２の電子機器２０を介してサービス事業者３の電子機器３０へ送付する。ここでいう所望する撮像の内容とは、例えば、撮像してほしい位置や日時や被写体などがあげられる。このようにして、依頼者２はサービス事業者３へ撮像の依頼を行う。なお、撮像の依頼の仕方はこれに限られない。例えば、電子機器２０を介さずに、サービス事業者３へ直接口頭で撮像の依頼を行ってもよい。口頭で撮像の依頼を受け付けたサービス事業者３は、電子機器３０の図示していない入力部から、撮像の依頼の内容を入力してもよい。
【００１６】
ステップＳ３では、撮像システム１０は、依頼者２からの撮像の依頼を、撮像者４へ伝える。例えば、送信部３３ｂは、電子機器４０に対して、撮像の依頼の内容をテキストデータなどで送信する。テキストデータでなくても、撮像の依頼の内容を示した画像データや各種情報でもよい。また、電子機器３０は、受け付けた撮像の依頼の内容を示す情報を紙などに印刷し、サービス事業者３は、印刷された紙を撮像者４に手渡してもよい。ステップＳ４では、撮像システム１０は、撮像者４が撮像した画像データを取得する。例えば、撮像者４は、イベントが開催されている場所に行き、撮像を行う。撮像者４は、イベントの様子や参加者を様々な角度から撮像する。また、依頼者２による撮像の依頼を受けている場合、撮像の依頼に従って撮像する。つまり、撮像者４は、撮像の依頼に従って撮像される画像データ（すなわち依頼画像データ）と、依頼画像データの他にイベントに関連する複数の画像データを撮像する。撮像された画像データは、依頼画像データも含めて、サービス事業者３の電子機器３０に送付される。ステップＳ５では、撮像システム１０は、取得した複数の画像データの中から依頼画像データを特定する。撮像者４により撮像されたイベントに関する複数の画像データの中から、依頼者２からの撮像の依頼に従って撮像された依頼画像データが特定される。なお、依頼画像データの特定については、詳細を後述する。ステップＳ６では、撮像システム１０は、依頼者２から画像データの閲覧の要求があった場合、依頼画像データを含む複数の画像データを依頼者２の電子機器２０へ送信する。例えば、依頼者２は、イベントからの帰宅後に依頼者２の電子機器２０から、サービス事業者３の電子機器３０へ画像データの閲覧を要求する。閲覧を要求した依頼者２の電子機器２０へ依頼画像データを含む複数の画像データ（イベントで撮像した画像データ）を送付する。サービス事業者３は、イベントで撮像された画像データをあらかじめ電子機器３０にアップロードしておき、依頼者２がホームページにアクセスしたら画像データが電子機器２０へ送付されるようにすればよい。これにより、依頼者２はイベントで撮像された画像データを閲覧することができる。ステップＳ７では、撮像システム１０は、依頼者２からの画像データ購入の依頼を受け付ける。依頼者２は、撮像者４により撮像された複数の画像データを閲覧し、購入を希望する画像データを選択して、サービス事業者３へ伝える。例えば、依頼者２は購入を希望する画像データにチェックマークをつけ、決定ボタンを押す。依頼者２の電子機器２０は、購入を希望する画像データの情報と依頼者２の情報とを電子機器３０へ送付する。電子機器３０は、依頼者２がどの画像データを購入希望しているかの情報を取得する。また、依頼者２が複数の画像データを閲覧する際には、ステップＳ５での依頼画像データの特定の結果に従って、依頼画像データとその他の画像データとが依頼者２に識別可能となるように表示される。ステップＳ８では、撮像システム１０は、購入の依頼があった画像データを、依頼者２の電子機器２０へ送付する。例えば、電子機器３０は、イベントを撮像した複数の画像データの中から、依頼者２が購入を希望した画像データを選択し、依頼者２に送付する。依頼者２が購入した画像データをダウンロード可能になるよう制御する。また、電子機器３０は、依頼者２が購入を希望した画像データをプリントアウトする。サービス事業者３は、プリントアウトされた写真を依頼者２の住所へ郵送してもよい。
【００１７】
以下、図２を参照して、撮像サービス１において、上記の各動作ステップを行うために撮像システム１０が実行する各処理について説明する。
＜依頼者２によるサービス事業者３への撮像の依頼＞
サービス事業者３から告知されたイベントへの参加予定者やその家族、イベントでの画像を所望する人は、電子機器２０を介してサービス事業者３のホームページへアクセスする。なお、電子機器２０は撮像システム１０に含まれる必要はない。例えば、依頼者２は、サービス事業者３が提供するアプリケーションを電子機器２０にダウンロードする。依頼者２は、ダウンロードしたアプリケーションを通して撮像システム１０を利用してもよい。また、ホームページへアクセスすることを例に説明するが、これに限られない。掲示板やＳＮＳ等でもよい。電子機器２０の制御部２１は、サービス事業者３のホームページを表示部２３に表示する。依頼者２は、入力部２２を操作して、表示部２３に表示されるサービス事業者３のホームページ上から利用のために必要な情報の入力（たとえば、氏名、住所、メールアドレス等）を行う。なお、必ずしも情報の入力を行う必要はない。後に入力することもできる。これら情報は、依頼者２の依頼画像データの特定や、画像データの送付などに利用するが、依頼画像データの特定や画像データの送付等を希望しない場合は入力しないことも考えられる。そして、依頼者２は、入力部２２を操作して、ホームページ上に設けられた入力フォームに希望する撮像の条件を、撮像の依頼として入力する。入力された撮像の依頼は、通信部２４の送信部２４ｂにより通信回路網５を介してサービス事業者３の電子機器３０へ送信される。または、依頼者２は、撮像の依頼を電子メールの送信により行っても良い。撮像の依頼の内容としては、撮像を行う位置や日時や被写体等を入力する。位置と日時と被写体との全てが撮像の依頼に含まれる必要はなく、その他情報も含め任意の組み合わせでよい。撮像の依頼に位置が含まれていれば、撮像者４はその指定された位置で撮像を行えばよい。撮像の依頼に日時が含まれていれば、撮像者４はその指定された日時に撮像を行えばよい。撮像の依頼に被写体が含まれていれば、その指定された被写体を撮像すればよい。撮像の依頼に位置と日時と被写体とのうち少なくとも１つ以上が撮像の依頼に含まれていれば、撮像者４は撮像を行うことができる。なお、位置と日時と被写体とが含まれていなくても、撮像者４がどのような画像データを撮像すればよいか分かるような情報が含まれていればよい。例えば、撮像の依頼に「明るい色味」と指定されていれば、撮像者４は、明るい色味の服を着た人や風景を撮像すればよい。
【００１８】
図４（ａ）は、依頼者２がサービス事業者３のホームページ上から撮像の依頼をするための入力フォーム６の一例を示す図である。入力フォーム６には、一例として、６箇所の入力欄６１〜６６が設けられる。依頼者２は、入力欄６１に撮像の対象となるイベント名を、入力欄６２にイベントが開催される日付を、入力欄６３に撮像者４に撮像をしてもらう時間を、入力欄６４に撮像者４に撮像をしてもらう位置を、入力欄６５に撮像の対象となる被写体等をそれぞれ入力する。依頼者２は、その他の要望事項があれば入力欄６６に入力する。たとえば、撮像の依頼が「８月１１日１０時にＡ小学校運動会の入場口を撮像してほしい」という内容の場合には、依頼者２は、入力欄６１に「Ａ小学校運動会」、入力欄６２に「８月１１日」、入力欄６３に「１０時」、入力欄６４に「入場口」のように入力する。また、撮像の依頼が「Ｂ発表会で１２時頃に舞台に登場するＣさんを撮像してほしい」という内容の場合には、依頼者２は、入力欄６１に「Ｂ発表会」、入力欄６３に「１２時」、入力欄６４に「舞台」、入力欄６５に「Ｃさん」のように入力する。
なお、依頼者２は、入力フォーム６の入力欄６１〜６６の全てを入力する必要はない。例えば、イベントがＡ小学校運動会のように開催される日付が明らかな場合は省略してもよい。依頼者２が、日付を把握していない場合も省略してもよい。日付欄に限らず、全ての入力欄でも同様に省略できる。
【００１９】
図４（ｂ）は、依頼者２が電子メール６７により行われる撮像の依頼の一例を示す。撮像の依頼が「Ｂ発表会で１２時頃に舞台に登場するＣさんを撮像してほしい」という内容の場合には、依頼者２は、電子メール６７の本文６８に「Ｂ発表会で１２時頃に舞台に登場するＣさんを撮像して下さい」等のメッセージを記載して、電子メールを送信する。なお、依頼の仕方として、入力フォームと電子メールを例に説明しているが、それに限られない。例えばサービス事業者３に電話して伝えてもよい。サービス事業者３が提供するインターネット掲示板等に書き込んでもよい。依頼者２のＳＮＳ等から依頼してもよい。例えば、サービス事業者３を示す情報をタグ付けて撮像の依頼の内容をつぶやいてもよいし、ＳＮＳのチャット機能等を利用して会話形式で依頼してもよい。この場合、サービス事業者３は、知りたい情報（日時や場所や被写体やその他希望など）をチャットで聞けばよい。サービス事業者３の応答は自動で送信されるように設定されていてもよい。また、イベント開催者が撮像の依頼を収集し、サービス事業者３へまとめて送付してもよい。例えば、イベントがＡ小学校の運動会であれば、Ａ小学校は子供や親から撮像の依頼を受け付ける。依頼の受け付け方は、Ａ小学校から子供や親に図４（ａ）のような手紙を配布し、撮像の依頼を希望する子供や親は記入欄を埋めてＡ小学校へ渡す。Ａ小学校は記入された手紙をまとめ、サービス事業者３へ送付する。送付方法としては、記入された手紙を郵送してもよいし、電子データなどにまとめて送付してもよい。
【００２０】
特定の人物を被写体として撮像することを依頼する場合、依頼者２は、被写体の人物の顔写真を、撮像の依頼をするタイミングや、イベントが開催される前までにサービス事業者３に送付しても良い。例えば、上記の「Ｂ発表会で１２時頃に舞台に登場するＣさんを撮像してほしい」という撮像の依頼の場合には、依頼者２は「Ｃさん」の顔写真をサービス事業者３に送付する。つまり通信部２４の送信部２４ｂは、顔写真の画像データをサービス事業者３の電子機器３０へ送信する。なお、撮像の依頼と顔写真の送付は同時に行う必要はない。撮像の依頼をして、後に必要であれば顔写真を送付すればよい。または、利用のために必要な情報の入力（たとえば、氏名、住所、メールアドレス等）をする際に、顔写真も登録してもよい。
【００２１】
また、撮像の依頼に含まれる被写体である特定の人物に、イベント参加中にタグを装着させてもよい。このようにすれば、顔写真を送付していない場合でも、被写体を識別できる。タグとしては、無線や赤外線等のＩＣチップ等を用いることができる。または、目印となるバッチ等を撮像者４の目につきやすい所に装着しても良い。これにより、撮像の依頼に含まれる被写体である特定の人物と、撮像者４との間に面識がない場合であっても、撮像者４は、撮像が依頼された被写体を撮像することができる。
なお、顔写真を送付する代わりに、たとえば年齢、性別、身長、国籍、髪の長さ等の外見から判別しやすい被写体の特徴を伝えてもよい。例えば上記のような被写体の特徴を入力フォーム６の入力欄６５に入力しても良い。これにより、撮像者４は、外見上の特徴から撮像が依頼された被写体を撮像できる。
【００２２】
なお、撮像の依頼は、撮像の位置や日時や被写体等を指定するものに限られない。たとえば、依頼者２は、「かわいい画像」、「気分が明るくなる画像」、「おすすめ画像」等のように指定することにより撮像を依頼しても良い。この場合、依頼者２は、図４（ａ）の入力フォーム６の入力欄６６に、「かわいい画像」、「気分が明るくなる画像」、「おすすめ画像」のように入力すれば良い。または、依頼者２は、図４（ｂ）の電子メールの本文に「かわいい画像を撮像してください」、「気分が明るくなる画像を撮像してください」、「おすすめ画像を撮像してください」のように記載して、電子メールを送信しても良い。
また、イベントが開催されるよりも前に撮像の依頼を行うことができなかった依頼者２は、イベントの当日に撮像者４に撮像の依頼を直接行っても良い。イベント前に電話や訪問などで撮像者４へ直接撮像の依頼を行ってもよい。この場合、撮像の依頼は、撮像者４によって撮像者４の電子機器４０に直接入力されてもよいし、サービス事業者３の電子機器３０を介して電子機器４０に入力されてもよい。電子機器４０に直接入力された場合、電子機器３０は撮像の依頼を記憶していない場合があるので、電子機器４０から電子機器３０へ撮像の依頼を送付してもよい。
【００２３】
サービス事業者３の電子機器３０は、依頼者２の電子機器２０から送信される撮像の依頼の内容を表す情報（以下、撮像の依頼の情報と呼ぶ）を受信する。この場合、通信部３３の受信部３３ａが通信回路網５を介して撮像の依頼の情報を受信する。撮像の依頼の情報には、撮像の依頼の内容に応じて、撮像の位置に関する依頼位置情報と、撮像の日時に関する依頼日時情報と、撮像する被写体に関する依頼被写体情報との少なくとも１つ以上が含まれていればよい。なお、「かわいい画像」、「気分が明るくなる画像」、「おすすめ画像」のような撮像の依頼がされた場合のように、撮像の依頼の情報には、依頼位置情報と依頼日時情報と依頼被写体情報とが含まれなくても良い。依頼被写体情報として顔写真の画像データが送信された場合には、撮像の依頼の情報として送信された画像データが顔情報として含まれる。電子機器３０の制御部３１は、受信した撮像の依頼の情報を記憶部３２に記憶する。
【００２４】
＜サービス事業者３から撮像者４への撮像の依頼の送付＞
電子機器３０の制御部３１は、記憶部３２に記憶した撮像の依頼の情報を複製して、通信部３３を介してイベントに派遣される撮像者４の電子機器４０に撮像の依頼の情報を送信する。電子機器４０の制御部４１は、電子機器３０から送信される撮像の依頼の情報を、通信部４４の受信部４４ａにより受信させて、記憶部４７に記憶する。制御部４１は、記憶部４７に記憶された撮像の依頼の情報を表示部４３に表示させることにより、撮像者４に撮像の依頼の内容を確認させる。なお、必ずしも撮像の依頼の情報を表示部４３に表示しなくてもよい。撮像者４が撮像の依頼の内容を確認できればよく、例えば音声で伝えてもよい。この結果、依頼者２と撮像者４との間で、撮像の依頼の内容を共有することができる。
なお、撮像の依頼の情報は、サービス事業者３の電子機器３０を経由して撮像者４の電子機器４０に受信される場合を例に挙げて説明したが、これに限定されるものではない。撮像の依頼の情報が、依頼者２の電子機器２０から、サービス事業者３の電子機器３０を経由することなく撮像者４の電子機器４０に受信されても良い。つまり、電子機器２０から電子機器４０へ直接撮像の依頼の情報を送付してもよい。
【００２５】
＜撮像者４による画像の撮像、サービス事業者３への画像の送付＞
撮像者４はイベント開催日の当日にイベントが開催される場所に行く。撮像者４は、依頼者２からの撮像の依頼がある場合には、撮像の依頼の条件を満たす画像データを撮像する。これによって撮像された画像データが依頼画像データである。さらに、撮像者４は、依頼画像データとは別にイベントの様子を撮像することにより、数多くの画像データを撮像する。たとえば、撮像の依頼が「Ｂ発表会で１２時頃に舞台に登場するＣさんを撮像してほしい」という内容の場合には、撮像者４は１２時まではイベントの様子を自由に撮像する。１２時頃になったら、撮像者４は、舞台に登場したＣさんを撮像する。Ｃさんの撮像が終了したら、撮像者４はまたイベントの様子を自由に撮像する。また、撮像の依頼が「８月１１日１０時にＡ小学校運動会の入場口を撮像してほしい」という内容の場合には、撮像者４は１０時頃まで自由に撮像し、１０時頃になると運動会の入場口を撮像する。撮像の依頼に被写体が含まれていないので、撮像者４は、入場口を撮像すればよい。入場口を様々な角度から様々な人や物が含まれるように撮像してもよい。
【００２６】
撮像者４により入力部４２のレリーズボタンが操作されると、制御部４１は撮像部４６を制御して画像データを生成させる。制御部４１は、撮像部４６により生成された画像データのヘッダ部に、撮像に関する情報、たとえば撮像日時、撮像位置、撮像した被写体の情報等を記憶して記憶部４７に記憶する。なお、ヘッダ部に記憶するのに限られない。撮像日時、撮像位置、被写体の情報等を画像データと関連付けて表などで別なデータとして記憶してもよい。ヘッダ部の一例としてＥｘｉｆに記憶してもよい。Ｅｘｉｆに撮像日時等の記憶場所を記憶してもよい。撮像日時は、撮像部４６により画像データが生成された日付と時刻とを示す情報である。撮像日時は、画像データが生成されたタイミングで電子機器４０の内部に設けられたクロック（不図示）から出力された信号から生成されてもよい。撮像者４が入力してもよい。撮像位置は、位置情報受信部４５により受信されたＧＰＳ信号を用いて制御部４１により算出された電子機器４０の位置に関する情報（緯度や経度）があげられる。なお、制御部４１は、電子機器４０内に記憶されている地図データまたはネットワークに接続されている不図示のサーバーに記憶されている地図データを参照して、算出した緯度、経度を施設名や地名等に変換して位置に関する情報としてもよい。撮像した被写体の情報は、たとえば撮像者４がＩＣチップ等を装着した被写体を撮像した場合にＩＣチップ等から受信したタグの情報があげられる。また、依頼者２が送付した顔写真の特徴と被写体の顔の特徴とを比較し、被写体の情報を取得してもよい。具体的には、依頼者２が送付した顔写真の特徴と一致する被写体が撮像されている場合、依頼者２が送付した顔写真の人物に関する情報を被写体の情報として取得する。さらに、通信部４４の送信部４４ｂは、生成された画像データをサービス事業者３の電子機器３０に送信する。なお、送信部４４ｂによる画像データの送信は、画像データが生成されるタイミングごとに行われても良いし、イベントが終了したタイミングで一度に行われても良い。または、撮像者４が入力部４２の送信ボタンを操作したタイミングで、画像データの送信が行われても良い。また、電子機器４０の記憶部４７が着脱可能な記憶媒体（例えば、メモリーカードなど）の場合、画像データを記憶した着脱可能な記憶媒体を電子機器３０に接続し、画像データを電子機器３０に記憶させてもよい。
【００２７】
＜撮像者４が撮像した複数の画像データの中から依頼画像データを特定＞
サービス事業者３の電子機器３０は、撮像者４の電子機器４０から送信された画像データを受信する。この場合、通信部３３の受信部３３ａは、通信回路網５を介して、イベントで撮像された複数の画像データを受信する。これにより、サービス事業者３の電子機器３０は、依頼者２からの撮像の依頼に従って撮像した依頼画像データを含む複数の画像データを取得する。制御部３１は、取得された画像データを記憶部３２に記憶する。なお、記憶部３２は、必ずしも電子機器３０が備える必要はない。例えば、クラウドのような外部機器の記憶部に記憶してもよい。制御部３１は、記憶部３２に記憶された複数の画像データの中から、依頼者２の依頼画像データを特定する。
【００２８】
依頼者２の依頼画像データを特定する方法の一例を説明する。制御部３１は、記憶部３２に記憶された撮像の依頼の情報を読み出す。制御部３１は、読み出した撮像の依頼の情報ごとに、以下に説明する依頼画像データの特定を行う。これにより、１人の依頼者２が同一のイベントに対して複数の撮像の依頼をしている場合でも、それぞれの撮像の依頼に沿った依頼画像データを特定することができる。つまり、依頼者２が撮像の依頼Ａと撮像の依頼Ｂとをした場合でも、撮像の依頼Ａの依頼画像データと撮像の依頼Ｂの依頼画像データとをそれぞれ特定することができる。また、複数の依頼者２がそれぞれ撮像の依頼をしている場合であっても、制御部３１が撮像の依頼ごとに依頼画像データの特定を行うことにより、複数の依頼者２のそれぞれに対して依頼画像データの特定を行うことができる。つまり、依頼者２Ａが撮像の依頼Ａをし、依頼者２Ｂが撮像の依頼Ｂをした場合でも、依頼者２Ａの撮像の依頼Ａの依頼画像データと依頼者２Ｂの撮像の依頼Ｂの依頼画像データとをそれぞれ特定することができる。なお、制御部３１は、依頼者２が依頼者となっている全ての撮像の依頼の情報を記憶部３２から読み出し、読み出した全ての撮像の依頼の情報について、以下に説明する依頼画像データの特定を行っても良い。これにより、１人の依頼者２が同一のイベントに対して複数の依頼をしている場合に、制御部３１は、複数の撮像の依頼をまとめて、依頼者２ごとに依頼画像データを特定することができる。つまり、依頼者２が撮像の依頼Ａと撮像の依頼Ｂとをしている場合、撮像の依頼Ａの依頼画像データと撮像の依頼Ｂの依頼画像データとをまとめて、依頼者２の依頼画像データとしてもよい。
【００２９】
制御部３１は、撮像の依頼の情報に基づいて依頼画像データを特定する。具体的には、制御部３１は、記憶部３２に記憶された撮像の依頼の情報と、例えば画像データのヘッダ部に記憶された撮像に関する情報および／または画像データに対する画像解析の結果、すなわち画像データに関する情報とを比較する。制御部３１は、比較の結果が一致する画像データを依頼画像データであると特定する。なお、完全に一致しなくても、略一致するものを依頼画像データと特定してもよい。
【００３０】
制御部３１は、撮像の依頼の情報に含まれる依頼位置情報と、画像データの撮像に関する情報に含まれる撮像位置情報とを比較して、撮像を依頼した位置と撮像が行われた位置とが一致するか否かを判定する。撮像位置情報が緯度、経度で表されている場合には、制御部３１は、予め記憶された地図データを参照して、撮像位置情報の緯度、経度を施設名や地名等に変換して、依頼位置情報と比較してもよい。なお、制御部３１が、地図データを参照して依頼位置情報を緯度、経度に変換して、緯度、経度で表された撮像位置情報と比較しても良い。なお、一致とは、依頼位置情報と撮像位置情報とが完全に一致することに限定するものではなく、ほぼ同じ位置であると見なせる程度の誤差も一致に含まれる。たとえば、依頼位置情報が示す位置がある劇場の舞台であるときに、撮像位置情報が示す位置がその劇場の観客席最後列であっても、一致と見なしてよい。
【００３１】
制御部３１は、撮像の依頼の情報に含まれる依頼日時情報が示す日時と、画像データの撮像に関する情報に含まれる撮像日時情報とを比較して、撮像を依頼した日時と撮像が行われた日時とが一致するか否かを判定する。なお、一致とは、依頼日時情報が示す日時と撮像日時情報とが完全に一致することに限定するものではない。例えば、依頼日時情報の示す日時を挟んだ、たとえば前後数分間や十数分間の日時も一致とみなしてもよい。
【００３２】
制御部３１は、撮像の依頼の情報に依頼被写体情報が含まれる場合には、画像データに対して画像解析処理を行い、撮像された画像内に依頼被写体情報と一致する被写体が存在するか否かを判定してもよい。すなわち、制御部３１は、依頼被写体情報と、画像解析処理により解析された被写体の情報（以下、撮像被写体情報と呼ぶ）とが一致するか否かを判定する。この場合、制御部３１は、依頼被写体情報として顔情報を有している場合（例えば、依頼者２から送信された顔写真の画像データを有している場合）には、この顔写真の画像データをテンプレートとして、撮像された画像データとの間でテンプレートマッチングを行う。テンプレートマッチングの結果、撮像された画像データからマッチングする領域が検出された場合には、制御部３１は、依頼者２により撮像が依頼された被写体が撮像された画像データであり、依頼被写体情報と撮像被写体情報とが一致すると判定する。また、被写体がタグ等を付けており、名前などの被写体を特定する情報がわかる場合、そのような被写体を特定する情報が撮像被写体情報としてもよい。この場合、被写体の名前（撮像被写体情報）と、依頼者２が撮像の依頼をした被写体の名前（依頼被写体情報）とを比較し、一致するか否かを判定してもよい。
【００３３】
依頼者２が撮像の依頼をする際に、被写体の外見上の特徴を入力した場合には、制御部３１は、次のようにして撮像された画像内に被写体情報と一致する被写体が存在するか否かを判定してもよい。たとえば撮像の依頼の情報の被写体情報が「長髪の女性」の場合には、制御部３１は、撮像された画像データに対して被写体抽出を行って人物を検出する。そして、制御部３１は、検出した人物の特徴を検出して、たとえば髪の毛の長い人物が撮像されていた場合、依頼被写体情報と撮像被写体情報とが一致すると判定してもよい。
ＩＣチップ等のタグを装着した被写体が撮像された画像データでは、ヘッダ部に撮像した被写体の情報が記憶されている。または、ヘッダ部（ＥＸＩＦ等）に被写体の情報の記憶場所が記憶されていてもよい。これら被写体の情報は撮像被写体情報である。制御部３１は、この撮像被写体情報と依頼被写体情報とが一致するか否かを判定してもよい。
【００３４】
制御部３１は、依頼位置情報と撮像位置情報との一致、依頼日時情報および撮像日時情報との一致、および依頼被写体情報と撮像被写体情報との一致、のうち少なくとも１つ以上が満たされるとき、撮像された画像データを依頼画像データとして特定してもよい。全てが一致するときに依頼画像データとして特定してもよい。具体的には、たとえば撮像の依頼が「Ａ小学校運動会で９時頃にゴール地点でＤさんを撮像してほしい」という内容の場合には、制御部３１は、撮像者４により撮像された複数の画像データのうち以下を満たす画像を依頼画像データであると特定する。すなわち、制御部３１は、撮像位置情報がゴール地点付近である画像データ、又は撮像日時情報が９時頃である画像データ、又は画像解析によりＤさんが検出された画像データを依頼画像データであると特定してもよい。撮像位置情報がゴール地点付近であり、撮像日時情報が９時頃であり、画像解析によりＤさんが検出された画像データである画像データを依頼画像データであると特定してもよい。また、撮像の依頼が「８月１１日１０時にＡ小学校運動会の入場口を撮像してほしい」という内容の場合には、制御部３１は、撮像された複数の画像データのうち、撮像日時情報が８月１１日１０時頃である画像データ、又は撮像位置情報が入場口付近である画像データを依頼画像データであると特定してもよい。撮像日時情報が１０時頃であり、撮像位置情報が入場口付近の画像データを依頼画像データであると特定してもよい。
【００３５】
さらに、撮像の依頼が「気分が明るくなる画像」という内容の場合には、制御部３１は、撮像者４により撮像された複数の画像データのうち、画像解析の結果に基づいて、撮像の依頼を満たす画像データを依頼画像データであると特定してもよい。この場合、制御部３１は、画像データの色情報（輝度や彩度）が所定値を超える明るい画像データや、被写体検出の結果、笑顔の人物が複数存在する画像データを依頼画像データとして特定してもよい。
【００３６】
図５に示す概念図を用いて、例えば撮像の依頼が「Ａ小学校運動会で９時頃にゴール地点でＤさんを撮像してほしい」という内容の場合の依頼画像データの特定について説明する。撮像の依頼の情報９００には、依頼位置情報９０１として「ゴール地点」と、依頼日時情報９０２として「９時頃」と、依頼被写体情報９０３として「Ｄさん」およびＤさんの顔写真である顔情報９０４とが含まれているとする。また、６個の画像データ７０１〜７０６が撮像者４により撮像され記憶部３２に記憶されているものとする。６個の画像データ７０１〜７０６はそれぞれヘッダ部７０１ａ〜７０６ａが付加され、各ヘッダ部７０１ａ〜７０６ａには、それぞれの画像データが撮像されたときの撮像に関する情報が記憶されているとする。
【００３７】
制御部３１は、依頼位置情報９０１および依頼日時情報９０２と、各画像データ７０１〜７０６のヘッダ部７０１ａ〜７０６ａとをそれぞれ比較する。図５に示す例では、依頼位置情報９０１と撮像位置情報と一致する画像データは、画像データ７０１と７０３である。依頼日時情報９０２と撮像日時情報とが一致する画像データは、画像データ７０１と７０３である。制御部３１は、この画像データ７０１または７０３と、顔情報９０４とを用いて画像解析を行う。画像解析の結果、依頼被写体情報９０３と撮像被写体情報とが一致する画像データは、画像データ７０１である。図５の例では、制御部３１は、位置情報と日時情報と被写体情報と全てが一致する画像データ７０１を依頼画像データとして特定する。
【００３８】
制御部３１は、撮像者４により撮像された複数の画像データの中から依頼画像データを特定すると、特定した依頼画像データに識別情報としてフラグを関連付ける。例えば制御部３１は、特定した依頼画像データのヘッダ部（ＥＸＩＦなど）に識別情報を書き込む。この識別情報は、関連付けされた画像データが依頼画像データであることを示す情報である。なお、この識別情報は撮像の依頼ごとまたは依頼者２ごとに関連付けしてもよい。つまり、撮像の依頼Ａの依頼画像データには撮像の依頼Ａを示す識別情報を関連付け、撮像の依頼Ｂの依頼画像データには撮像の依頼Ｂを示す識別情報を関連付けてもよい。また、撮像の依頼Ａと撮像の依頼Ｂが同一の依頼者２であった場合、撮像の依頼Ａの依頼画像データと撮像の依頼Ｂの依頼画像データとに依頼者２を示す識別情報を関連付けてもよい。後述するように、依頼者２の電子機器２０は、表示部２３に撮像者４により撮像された画像データを表示する際に、この識別情報と関連付けされた依頼画像データを依頼画像データ以外の他の画像データに対して強調して表示してもよい。
なお、制御部３１は、特定した依頼画像データと識別情報との関係を表形式にまとめ、依頼画像データと識別情報とを関連付けても良い。制御部３１は、この表を記憶部３２に記憶してもよい。
【００３９】
図６のフローチャートを参照して、制御部３１が行う依頼画像データの特定および識別情報を関連付けるための動作ステップについて説明する。図６に示す動作ステップは制御部３１でプログラムを実行して行われる。このプログラムは、メモリ（不図示）に格納されており、制御部３１により起動され、実行される。
【００４０】
ステップＳ１０では、記憶部３２に記憶された画像データを読み出してステップＳ１１へ進む。なお、記憶部３２がクラウドや外部サーバーのような外部機器に備えられていてもよい。ステップＳ１１では、撮像の依頼の情報を用いて、読み出した画像データが依頼画像データか否かの特定を行い、ステップＳ１２へ進む。特定の仕方は上述した通りである。ステップＳ１２では、ステップＳ１１の処理の結果、画像データが依頼画像データであるか否かを判定する。依頼画像データの場合には、ステップＳ１２が肯定判定されてステップＳ１３へ進む。ステップＳ１３では、依頼画像データである画像データに識別情報を関連付けてステップＳ１４へ進む。依頼画像データではない場合には、ステップＳ１２が否定判定されてステップＳ１４へ進む。
【００４１】
ステップＳ１４では、イベントで撮像された全ての画像データに対して特定処理が終了したか否かを判定する。全ての画像データに対して処理が終了していない場合には、ステップＳ１４が否定判定されてステップＳ１１へ戻り、未処理の画像データに対してステップＳ１１〜１３の処理を行う。全ての画像データに対して処理が終了した場合には、ステップＳ１４が肯定判定されて、処理を終了する。
【００４２】
なお、サービス事業者３の電子機器３０が依頼画像データの特定を行う例を説明したが、それに限定されない。撮像者４の電子機器４０が依頼画像データの特定を行ってもよい。依頼者２の電子機器２０が依頼画像データの特定を行ってもよい。この場合には、電子機器４０や電子機器２０が依頼画像データの特定に必要な機能を備えていればよい。また、撮像者４やサービス事業者３の従業員が手動で依頼画像データを特定しても良い。例えば、イベントの現場で撮像者４が撮像の依頼に従って画像データを撮像する。撮像者４は電子機器４０の入力部４２を操作して、撮像した画像データに依頼画像データであることを示す情報を付加する。具体的には、例えば、撮像者４は電子機器４０の入力部４２に対して所定の操作をした状態で撮像することにより、撮像した画像データに依頼画像データであることを示す情報を付加することができる。また、例えば、撮像者４は撮影後に電子機器４０の入力部４２に対して所定の操作をすることにより、撮像した画像データに依頼画像データであることを示す情報を付加することができる。このようにすることで依頼画像データとして特定し、依頼画像データに識別情報を関連付けしてもよい。撮像者４は撮像の依頼を意識して画像データの撮像をしているので、撮像者４が多くの画像データを撮像した場合であっても、依頼画像データを特定することができる。または、撮像者４の電子機器４０からサービス事業者３の電子機器３０に撮像された画像データが送信された後、撮像者４またはサービス事業者３の従業員が画像データと撮像の依頼とを見比べながら依頼画像データを特定しても良い。
【００４３】
制御部３１は、依頼画像データの他に、おすすめ画像データを特定して、おすすめ画像データであることを示す識別情報を関連付けても良い。おすすめ画像データとしては、たとえば、撮像の依頼の日時とは一致するが撮像の依頼の位置が異なる画像データや、撮像の依頼の日時および位置とは一致するが撮像の依頼の被写体が異なる画像データや、撮像の依頼の被写体とは一致するが撮像の依頼の日時および位置が異なる画像データなどがあげられる。または、制御部３１は、イベントで撮像された画像データのうち撮像者４がベストショットとみなした画像データや、イベントに参加した他の依頼者からの購入数が多い画像データをおすすめ画像データとして特定しても良い。さらには、制御部３１は、依頼者２のこれまでの閲覧履歴や購入履歴、すなわち依頼者２に関する情報に基づいて依頼者２の好みに合った画像データをおすすめ画像データとして特定しても良い。この場合、たとえば、依頼者２が風景画像を閲覧したり購入したりする頻度が高い場合には風景画像をおすすめ画像データとして特定し、夜景画像を閲覧したり購入したりする頻度が高い場合には夜景画像をおすすめ画像データとして特定しても良い。
【００４４】
＜依頼者２による撮像された画像データの閲覧、購入する画像データの選択＞
依頼者２は、イベントで撮像者４により撮像された画像データを購入することができる。例えば、依頼者２は、サービス事業者３のホームページにアクセスし、イベントで撮像された画像データを依頼者２の電子機器２０の表示部２３に表示させて閲覧する。この場合、電子機器２０の制御部２１は、サービス事業者３のホームページを表示部２３に表示する。依頼者２は、入力部２２を操作して、表示部２３に表示されるサービス事業者３のホームページ上から撮像を依頼する際に登録した利用登録情報を入力し、ログインする。なお、以前に利用登録情報を入力したことがある場合などは、ログイン状態を維持して、利用登録情報の入力を省略してもよい。入力された利用登録情報に基づいて、サービス事業者３の電子機器３０の制御部３１は、依頼者２が撮像の依頼をしたイベントで撮像された画像データを通信部３３を介して依頼者２の電子機器２０へ送信する。このとき、依頼画像データに関連つけされた識別情報も電子機器２０へ送信される。すなわち、通信部３３は、識別情報を送信する機能を有してもよい。また、依頼者２は、イベント事業者３のホームページにアクセスしなくてもよい。例えば依頼者２は、イベント事業者３が提供するアプリケーションを電子機器２０にダウンロードし、このアプリから画像データを閲覧してもよい。
【００４５】
依頼者２の電子機器２０の制御部２１は、通信部２４を介してサービス事業者３の電子機器３０から送信された画像データを受信し、画像を表示部２３に表示させる。制御部２１は、受信した画像データのうち、依頼画像データとそれ以外の画像データとを依頼者２が識別できるように表示する。つまり、例えば、識別情報と関連付けされている画像データ（依頼画像データ）を、識別情報と関連付けされていないその他の画像データに対して強調させて表示部２３に表示させる。制御部２１は、依頼者２が複数の画像データの中から依頼画像データを見落とすことなく閲覧することができるように、依頼画像データの表示態様を制御する。
【００４６】
図７に依頼画像データを強調して表示する例を示す。図７では、３個の依頼画像データ７１１〜７１３（依頼画像データを総称する場合には符号７１０を付与する）と４個のその他の画像データ７２１〜７２４（その他の画像データを総称する場合には符号７２０を付与する）とが表示部２３に表示されている。図７（ａ）は、依頼画像データ７１０の大きさとその他の画像データ７２０の大きさとを異ならせて表示させる例を示している。制御部２１は、識別情報が関連付けされている依頼画像データ７１０をその他の画像データ７２０よりも大きなサイズで表示部２３に表示させる。すなわち、識別情報は、依頼画像データ７１０の表示態様をその他の画像データ７２０の表示態様と異ならせるために用いられる情報として機能する。この場合、制御部２１は、受信した画像データのうち、依頼画像データ７１０のサイズを拡大して表示部２３に表示させても良いし、その他の画像データ７２０のサイズを縮小して表示部２３に表示させても良い。
【００４７】
なお、制御部２１は、依頼画像データ７１０の少なくとも一部の領域、またはその他の画像データ７２０の少なくとも一部の領域に、たとえば赤や青などの依頼者２の目につきやすい色を重畳して表示させることにより、両者の表示態様と異ならせても良い。さらには、制御部２１は、依頼画像データ７１０とその他の画像データ７２０の大きさを異ならせると共に、依頼画像データ７１０の少なくとも一部の領域、またはその他の画像データ７２０の少なくとも一部の領域に色を重畳して表示させ、両者の表示態様を異ならせても良い。
【００４８】
図７（ｂ）は、依頼画像データ７１０の周囲に枠７３０を付加して表示させ、その他の画像データ７２０には枠等を付加させることなく表示させる例を示している。制御部２１は、識別情報が関連付けされている依頼画像データ７１０の周囲を囲うように枠７３０を表す画像データを付加して表示部２３に表示させる。なお、枠７は依頼画像データ７１０の周囲全体を囲ってもいいし、一部を囲ってもよい。例えば、依頼画像データ７１０の四隅を囲む表示をさせてもよい。すなわち、識別情報は、依頼画像データ７１０と、依頼画像データ７１０であることを示す情報とを表示するために用いられる情報として機能する。制御部２１は、枠７３０を、たとえば赤や青などの依頼者２の目につきやすい色で表示させても良い。なお、依頼画像データ７１０であることを示す情報としては、枠７３０を付加して表示するものに限定されず、たとえば「これは依頼画像です」のような文字によるメッセージを付加して表示しても良いし、「○」や「☆」等のマークを付加して表示しても良い。また、制御部２１は、依頼画像データ７１０の周囲に枠７３０を付加するとともに、依頼画像データ７１０上に文字やマーク等を付加して表示しても良い。
【００４９】
図７（ｃ）は、依頼画像データ７１０の表示位置とその他の画像データ７２０の表示位置とを異ならせる例を示している。制御部２１は、識別情報が関連付けされた依頼画像データ７１０を、表示部２３の表示面のうちの予め設定された領域７４０（図７（ｃ）では、紙面に向かって左側の領域）に表示させ、その他の画像データ７２０を表示部２３の表示面のうち領域７４０以外の領域に表示させる。なお、領域７４０の表示部２３の表示面上での位置は、図７（ｃ）に示す例に限定されず、紙面に向かって右側の位置でも良いし、上側の位置でも良いし、下側の位置でも良い。また、領域７４０が表示部２３の表示面の中央部に位置しても良い。図７（ｃ）に示す表示を行う場合には、識別情報は、依頼画像データ７１０を表示させる位置を決めるために用いられる情報として機能する。
【００５０】
なお、上記の図７（ａ）〜（ｃ）で示した表示の例を組み合わせても良い。たとえば、制御部２１は、依頼画像データ７１０のサイズをその他の画像データ７２０よりも大きくした上で、依頼画像データ７１０の周囲に枠７３０を付加して、表示部２３の表示面上に設定された領域７４０に表示させても良い。または、制御部２１は、依頼画像データ７１０のサイズをその他の画像７２０よりも大きくした上で、依頼画像データ７１０の周囲に枠７３０を付加して表示させても良い。すなわち、制御部２１は、依頼画像データ７１０をその他の画像データ７２０に対して識別可能に表示するために用いられる情報として識別情報を用いることができる。また、表示態様は上記の例に限定されない。例えば、依頼画像データとそれ以外の画像データとの輝度を異ならせて表示させてもよい。依頼画像データ又はそれ以外の画像データのどちらか一方を点滅して表示させてもよい。
【００５１】
図７の各例に示すように表示された画像データを閲覧した依頼者２は、購入を所望する画像データを選択する。依頼者２は、入力部２２を操作して、購入したい画像データをクリックしたりタップしたりすることにより、購入する画像データを選択する。そして、依頼者２は、入力部２２を操作して、たとえば表示部２３に表示された「購入」ボタン（不図示）をクリックしたり、タップすることにより、選択した画像データを購入する。制御部２１は、通信部２４を制御して、依頼者２により購入された画像データを示す情報、たとえば画像データのファイル名などを送信させる。なお、依頼者２は、購入を希望する画像データを示す情報を電話やメールやＳＮＳでサービス事業者３へ伝えても良い。また、イベント開催者が依頼者２から購入の希望を受け付け、イベント開催者がサービス事業者３へ伝えてもよい。例えば、イベント開催者がＡ小学校の場合、Ａ小学校は子供や親から購入の希望を受け付ける。子供や親は、購入を希望する画像データを示す情報を紙に記載してＡ小学校に提出してもよいし、電子データとしてメールや入力フォームを介してＡ小学校に送付してもよい。
【００５２】
なお、依頼者２の電子機器２０が、おすすめ画像データを示す識別情報が関連付けられた画像データを受信した場合には、制御部２１は、依頼画像データとおすすめ画像データとを表示部２３に表示させてもよい。
図８に依頼画像データとおすすめ画像データとが表示部２３に表示される場合の例を示す。この例では、表示部２３には、３個の依頼画像データ７１１〜７１３と、４個のおすすめ画像データ７５１〜７５４（なお、おすすめ画像データを総称する場合は符号７５０を付す）とが表示される。図８の例は、制御部２１は、依頼画像データ７１０をおすすめ画像データ７５０よりも大きく表示させた場合を示す。なお、依頼画像データ７１０とおすすめ画像データ７５０とを示す例はこれに限定されず、制御部２１は、依頼画像データ７１０の少なくとも一部の領域に色や文字を重畳して表示させてもよい。または、制御部２１は、依頼画像データ７１０に枠や文字やマーク等を付加して表示させたり、依頼画像データ７１０を予め設定した領域７４０に表示させ、おすすめ画像データを領域７４０以外の領域に表示させても良い。
【００５３】
＜サービス事業者３は依頼者２に購入した画像データを送付＞
サービス事業者３の電子機器３０の制御部３１は、依頼者２の電子機器２０から購入を希望する画像データを示す情報を受信する。制御部３１は、記憶部３２に記憶された画像データの中から購入された画像データを示す情報に対応する画像データを選び出す。制御部３１は、選び出した画像データを通信部３３を介して依頼者２の電子機器２０に送信する。なお、購入された画像データを電子的に依頼者２に送信することに限定されず、サービス事業者３が購入された画像データをプリントアウトして、郵送により依頼者２に送付しても良い。また、購入された画像データを記憶した記憶媒体（ＣＤＲＯＭやＵＳＢメモリなど）を、依頼者２に郵送してもよい。
なお、１人の依頼者２と１人の撮像者４を例に説明したが、それに限られない。複数の依頼者２と複数の撮像者４とでも本撮像システム１０を利用することができる。
【００５４】
上述した実施の形態によれば、次の作用効果が得られる。
（１）サービス事業者３の電子機器３０は、依頼者２からの撮像の依頼に基づいて撮像された依頼画像データを含む複数の画像データを取得し、複数の画像データの中から依頼画像データを特定する。したがって、複数の画像データの中から依頼者２に依頼画像データが特定された状態で依頼者２に提示できるので、依頼者２が数多くの画像データの中から撮像を所望した依頼画像データを見落とす可能性を低減できる。依頼画像データは、依頼者２により購入される可能性が高い画像データなので、依頼者２に依頼画像データを提示することにより、画像データの購入数増加を図ることができる。
【００５５】
（２）制御部３１は、依頼画像データを依頼者２毎に又は撮像の依頼毎に特定する。依頼者２からの撮像の依頼のそれぞれに対して依頼画像データを特定できるので、依頼者２による複数の撮像の依頼のうち、ある撮像の依頼に対応する依頼画像データが特定できないという事態の発生を防ぐことができる。したがって、依頼者２による依頼画像データを特定することができる。
【００５６】
（３）制御部３１は、撮像の依頼の情報に基づいて、依頼画像データを特定する。したがって、依頼者２が所望する撮像の依頼に適した画像データを依頼画像データとして特定できる。
【００５７】
（４）制御部３１は、撮像の依頼の情報と画像データに関する情報とに基づいて、依頼画像データを特定する。したがって、画像データの撮像に関する情報が撮像の依頼に適した画像データを依頼画像データとして特定できる。
【００５８】
（５）制御部３１は、位置に関する位置情報と、日時に関する日時情報と、被写体に関する被写体情報との少なくとも１つ以上に基づいて、依頼画像データを特定する。したがって、複数の画像データの中から依頼画像データを特定するための精度を向上させることができる。
【００５９】
（６）撮像の依頼の情報は、依頼者２が依頼した撮像位置を示す依頼位置情報と、依頼者２が依頼した撮像日時を示す依頼日時情報と、依頼者２が依頼した被写体を示す依頼被写体情報との少なくとも１つ以上を含む。制御部３１は、依頼位置情報と依頼日時情報と依頼被写体情報との少なくとも１つ以上に基づいて依頼画像データを特定する。したがって、複数の画像データの中から依頼画像データを特定するための精度を向上させることができる。
【００６０】
（７）制御部３１は、画像データが撮像された位置を示す撮像位置情報と、画像データが撮像された日時を示す撮像日時情報と、画像データに撮像された被写体に関する撮像被写体情報との少なくとも１つ以上に基づいて、依頼画像データを特定する。したがって、複数の画像データの中から依頼画像データを特定するための精度を向上させることができる。
【００６１】
（８）制御部３１は、依頼位置情報及び撮像位置情報と、依頼日時情報及び撮像日時情報と、依頼被写体情報及び撮像被写体情報との少なくとも１つ以上に基づいて、依頼画像データを特定する。画像データの撮像に関する情報に含まれる情報と撮像の依頼に含まれる情報との間で一致する情報が１つ以上存在する場合に、画像データを依頼画像データとして特定できる。したがって、複数の画像データの中から依頼画像データを特定するための精度を向上させることができる。
【００６２】
（９）制御部３１は、被写体の顔情報に基づいて、依頼画像データを特定する。したがって、依頼画像データを特定する精度を向上させることができる。
【００６３】
（１０）制御部３１は、依頼被写体情報の被写体の顔情報と、撮像被写体情報の被写体の顔情報とに基づいて、依頼画像データを特定する。したがって、複数の画像データの中から依頼画像データを特定するための精度を向上させることができる。
【００６４】
（１１）制御部３１は、サービス事業者３の従業員や撮像者４によって指定された画像を、依頼画像データとして特定する。したがって、複数の画像データの中から依頼画像データを特定するための精度を向上させることができる。
【００６５】
（１２）制御部３１は、特定した依頼画像データを識別する識別情報と、依頼画像データとを関連付ける。したがって、複数の画像データの中から依頼画像データを識別することができる。
【００６６】
（１３）識別情報は、依頼者２の電子機器２０の表示部２３が依頼画像データを含む画像データを表示するときに依頼画像を識別可能に表示するために用いられる情報である。したがって、表示部２３にて依頼画像データが他の画像データに対して識別可能に表示されるので、依頼者２は自分が撮像を依頼した画像データを複数の画像データの中から見落とすことなく閲覧することができる。これにより、依頼者２により購入される可能性が高い依頼画像データが依頼者２の目に留まることになるので、依頼者２の購買意欲を促進することができ、サービス事業者３は画像データの販売枚数の増加を図ることができる。
【００６７】
（１４）識別情報は、依頼画像データを強調して表示部２３に表示するために用いられる情報である。したがって、依頼画像データが他の画像データよりも目立って表示される。
【００６８】
（１５）識別情報は、依頼画像データの表示態様を、依頼画像データ以外の画像データの表示態様と異ならせるために用いられる情報である。したがって、依頼画像データが依頼者２の目に留まりやすくなるように表示される。
【００６９】
（１６）識別情報は、依頼画像データを表示する位置を決めるために用いられる情報である。したがって、依頼画像データが表示部２３の決められた位置に表示されるので、依頼者による依頼画像データの見落としを防ぐことができる。
【００７０】
（１７）識別情報は、依頼画像データを示す情報と、依頼画像データとを表示するために用いられる情報である。したがって、依頼者２は、依頼画像データであることを認識することができる。
【００７１】
（１８）制御部３１は、依頼画像データの他に、所定の情報に基づいて画像データを特定する。通信部３３は、依頼画像データと、所定の情報に基づいて特定された画像データ、たとえばおすすめ画像データと、を依頼者２の電子機器２０に送信する。したがって、依頼者２へ依頼画像データに加えて、依頼者２が興味を引くような画像データを提示させることができるので、依頼者２の購買意欲を促進することができ、サービス事業者３は画像データの販売枚数の増加を図ることができる。
【００７２】
（１９）所定の情報は、位置情報と日時情報と被写体情報と依頼者に関する情報との何れか１つ以上を含む。したがって、依頼者２が興味を抱くような画像データを、依頼画像データとは別に特定することができる。
【００７３】
次のような変形も本発明の範囲内であり、変形例の一つ、もしくは複数を上述の実施形態と組み合わせることも可能である。
（１）サービス事業者３の電子機器３０にて依頼画像データを特定するものに代えて、撮像者４の電子機器４０にて依頼画像データを特定しても良い。この場合、電子機器４０の制御部４１は、サービス事業者３の電子機器３０を介して受信した撮像の依頼の情報を用いて、撮像部４６で生成した画像データが依頼画像データか否かを判定し、特定すれば良い。制御部４１が依頼画像データを特定する際に行う処理は、実施の形態においてサービス事業者３の電子機器３０の制御部３１が行った処理と同様である。
【００７４】
（２）依頼者２の電子機器４０にて依頼画像データを特定しても良い。この場合、電子機器２０は、依頼者２が画像データを購入する画像を選択する際に、サービス事業者３の電子機器３０から画像データと撮像の依頼の情報とを受信する。制御部２１は、受信した撮像の依頼の情報を用いて、受信した画像データが依頼画像データか否かを判定し、特定すれば良い。制御部２１が依頼画像データを特定する際に行う処理は、実施の形態においてサービス事業者３の電子機器３０の制御部３１が行った処理と同様である。
【００７５】
上記では種々の実施の形態および変形例を説明したが、本発明はこれらの内容に限定されるものではない。本発明の技術的思想の範囲内で考えられるその他の態様も本発明の範囲内に含まれる。
【符号の説明】
【００７６】
２０…電子機器、２１…制御部、２３…表示部、２４…通信部、２４ａ…受信部、２４ｂ…送信部、３０…電子機器、３１…制御部、３３…通信部、３３ａ…受信部、３３ｂ…送信部、４０…電子機器、４１…制御部、４４…通信部、４４ａ…受信部、４４ｂ…送信部、４５…位置情報受信部
【図１】
0006705154.tif 000002
【図２】
0006705154.tif 000003
【図３】
0006705154.tif 000004
【図４】
0006705154.tif 000005
【図５】
0006705154.tif 000006
【図６】
0006705154.tif 000007
【図７】
0006705154.tif 000008
【図８】
0006705154.tif 000009